【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
複数のセルを備える通信ネットワークに測定レポートを提供するための移動体通信デバイスであって、
前記複数のセルのうちの中継セル内で、中継移動体通信デバイスに接続するための手段であって、前記中継セルが中継移動体通信デバイスによって操作される手段と、
前記中継移動体通信デバイスから、前記複数のセルのうちの少なくとも１つのセルでの測定を構成するための構成データを受信するための手段であって、前記構成データが、前記複数のセルのうちの少なくとも１つのセルに関する測定報告をトリガするための少なくとも１つのトリガイベントを定義する手段と、
前記受信された構成データに基づいて、前記少なくとも１つのセルで測定を実施するための手段と、
前記測定の結果に基づいて、前記トリガイベントが生じているか否かを判断するための手段と、
前記トリガイベントが生じていると判断されたときに、前記中継移動体通信デバイスに測定レポートを送信するための手段と
を備える移動体通信デバイス。
【請求項２】
複数のセルを備える通信ネットワーク内で中継セルを操作するため、およびさらなる移動体通信デバイスから測定レポートを取得するための中継移動体通信デバイスとして機能する移動体通信デバイスであって、
前記中継セルを操作するための手段と、
前記中継セル内で前記さらなる移動体通信デバイスとの接続を確立するための手段と、
前記さらなる移動体通信デバイスに構成データを送信するための手段であって、前記構成データが、前記複数のセルのうちの少なくとも１つのセルに関する測定報告をトリガするための少なくとも１つのトリガイベントを定義する手段と、
前記トリガイベントの発生に応答して、前記さらなる移動体通信デバイスから測定レポートを受信するための手段と
を備える移動体通信デバイス。
【請求項３】
前記受信された測定レポートに基づいて、前記さらなる移動体通信デバイスのハンドオーバを開始するための手段をさらに備える請求項２に記載の移動体通信デバイス。
【請求項４】
前記中継移動体通信デバイスが接続される基地局に前記測定レポートを送信するための手段をさらに備える請求項２に記載の移動体通信デバイス。
【請求項５】
前記測定レポートに応答して、前記さらなる移動体通信デバイスのハンドオーバを開始するためのメッセージを前記基地局から受信するための手段と、前記さらなる移動体通信デバイスの前記ハンドオーバを開始するためのメッセージを前記さらなる移動体通信デバイスに送信するための手段とをさらに備える請求項４に記載の移動体通信デバイス。
【請求項６】
前記少なくとも１つのセルは、ハンドオーバ先となり得る候補セルを含む請求項１〜５のいずれか一項に記載の移動体通信デバイス。
【請求項７】
前記構成データは、前記測定の結果がしきい値を満たすまたは上回るときに生じるトリガイベントに関する条件を定義する請求項１〜６のいずれか一項に記載の移動体通信デバイス。
【請求項８】
前記構成データは、前記測定の結果が１つの（またはさらなる）しきい値を満たすまたは下回るときに生じるトリガイベントに関する条件を定義する請求項１〜７のいずれか一項に記載の移動体通信デバイス。
【請求項９】
前記または各しきい値は、前記構成データ内に提供される値を含む請求項７または８に記載の移動体通信デバイス。
【請求項１０】
前記構成データは、前記測定の結果が前記複数のセルのうちのさらなるセルに関する対応する測定の結果に一致するまたは上回るときに生じるトリガイベントに関する条件を定義する請求項１〜９のいずれか一項に記載の移動体通信デバイス。
【請求項１１】
前記構成データは、前記測定の結果が前記複数のセルのうちの１つ（または複数）のさらなるセルに関する対応する測定の結果に一致するまたは下回るときに生じるトリガイベントに関する条件を定義する請求項１〜１０のいずれか一項に記載の移動体通信デバイス。
【請求項１２】
前記構成データは、トリガすべきイベントに関して、前記測定の結果が前記複数のセルのうちのさらなるセルに関するしきい値または対応する測定値を上回るまたは下回る範囲を定義する少なくとも１つのヒステリシス（および／またはオフセット）を定義する請求項７〜１１のいずれか一項に記載の移動体通信デバイス。
【請求項１３】
前記測定の結果は、前記複数のセルのうちの前記少なくとも１つのセルの信号条件の尺度を含む請求項１〜１２のいずれか一項に記載の移動体通信デバイス。
【請求項１４】
移動体通信デバイスによって実施される、複数のセルを備える通信ネットワークに測定レポートを提供する方法であって、
前記複数のセルのうちの中継セル内で、中継移動体通信デバイスに接続するステップであって、前記中継セルが中継移動体通信デバイスによって操作されるステップと、
前記中継移動体通信デバイスから、前記複数のセルのうちの少なくとも１つのセルでの測定を構成するための構成データを受信するステップであって、前記構成データが、前記複数のセルのうちの少なくとも１つのセルに関する測定報告をトリガするための少なくとも１つのトリガイベントを定義するステップと、
前記受信された構成データに基づいて、前記少なくとも１つのセルで測定を実施するステップと、
前記測定の結果に基づいて、前記トリガイベントが生じているか否かを判断するステップと、
前記トリガイベントが生じていると判断されたときに、前記中継移動体通信デバイスに測定レポートを送信するステップと
を含む方法。
【請求項１５】
中継移動体通信デバイスによって実施される、複数のセルを備える通信ネットワーク内で中継セルを操作し、さらなる移動体通信デバイスから測定レポートを取得するための方法であって、
前記中継セル内で前記さらなる移動体通信デバイスとの接続を確立するステップと、
前記さらなる移動体通信デバイスに構成データを送信するステップであって、前記構成データが、前記複数のセルのうちの少なくとも１つのセルに関する測定報告をトリガするための少なくとも１つのトリガイベントを定義するステップと、
前記トリガイベントの発生に応答して、前記さらなる移動体通信デバイスから測定レポートを受信するステップと
を含む方法。
【手続補正２】
【補正対象書類名】明細書
【補正対象項目名】０２１６
【補正方法】変更
【補正の内容】
【０２１６】
本出願は、２０１３年１月１１日出願の英国特許出願第１３００５３４．３号明細書に基づき、その特許文献からの優先権を主張し、その特許文献の開示全体を参照により本明細書に援用する
［付記］
［付記１］
複数のセルを備える通信ネットワークに測定レポートを提供するための移動体通信デバイスであって、
前記複数のセルのうちの中継セル内で、中継移動体通信デバイスに接続するための手段であって、前記中継セルが中継移動体通信デバイスによって操作される手段と、
前記中継移動体通信デバイスから、前記複数のセルのうちの少なくとも１つのセルでの測定を構成するための構成データを受信するための手段であって、前記構成データが、前記複数のセルのうちの少なくとも１つのセルに関する測定報告をトリガするための少なくとも１つのトリガイベントを定義する手段と、
前記受信された構成データに基づいて、前記少なくとも１つのセルで測定を実施するための手段と、
前記測定の結果に基づいて、前記トリガイベントが生じているか否かを判断するための手段と、
前記トリガイベントが生じていると判断されたときに、前記中継移動体通信デバイスに測定レポートを送信するための手段と
を備える移動体通信デバイス。
［付記２］
複数のセルを備える通信ネットワーク内で中継セルを操作するため、およびさらなる移動体通信デバイスから測定レポートを取得するための中継移動体通信デバイスであって、
前記中継セルを操作するための手段と、
前記中継セル内で前記さらなる移動体通信デバイスとの接続を確立するための手段と、
前記さらなる移動体通信デバイスに構成データを送信するための手段であって、前記構成データが、前記複数のセルのうちの少なくとも１つのセルに関する測定報告をトリガするための少なくとも１つのトリガイベントを定義する手段と、
前記トリガイベントの発生に応答して、前記さらなる移動体通信デバイスから測定レポートを受信するための手段と
を備える中継移動体通信デバイス。
［付記３］
前記受信された測定レポートに基づいて、前記さらなる移動体通信デバイスのハンドオーバを開始するための手段をさらに備える付記２に記載の移動体通信デバイス。
［付記４］
前記中継移動体通信デバイスが接続される基地局に前記測定レポートを送信するための手段をさらに備える付記２に記載の移動体通信デバイス。
［付記５］
前記測定レポートに応答して、前記さらなる移動体通信デバイスのハンドオーバを開始するためのメッセージを前記基地局から受信するための手段と、前記さらなる移動体通信デバイスの前記ハンドオーバを開始するためのメッセージを前記さらなる移動体通信デバイスに送信するための手段とをさらに備える付記４に記載の移動体通信デバイス。
［付記６］
それぞれの非ＬＴＥインターフェースを介して、基地局と通信するように、および／または前記さらなる移動体通信デバイスと通信するように動作可能である付記２〜５のいずれか一項に記載の移動体通信デバイス。
［付記７］
「ＵＥＲ−Ｕｕ」インターフェースなど、それぞれのＬＴＥインターフェースを介して前記さらなる移動体通信デバイスと通信するように動作可能である付記２〜５のいずれか一項に記載の移動体通信デバイス。
［付記８］
ＵＭＴＳ、ＨＳＰＡ、Ｗｉ−Ｆｉ、ＣＤＭＡ、またはＷｉＭＡＸインターフェースのうちの任意のインターフェースなど、それぞれの非ＬＴＥインターフェースを介して、基地局と通信するように、および／または前記さらなる移動体通信デバイスと通信するように動作可能である付記２〜５のいずれか一項に記載の移動体通信デバイス。
［付記９］
前記少なくとも１つのセルは、ハンドオーバ先となり得る候補セルを含む付記１〜８のいずれか一項に記載の移動体通信デバイス。
［付記１０］
前記構成データは、前記測定の結果がしきい値を満たすまたは上回るときに生じるトリガイベントに関する条件を定義する付記１〜９のいずれか一項に記載の移動体通信デバイス。
［付記１１］
前記構成データは、前記測定の結果が１つの（またはさらなる）しきい値を満たすまたは下回るときに生じるトリガイベントに関する条件を定義する付記１〜１０のいずれか一項に記載の移動体通信デバイス。
［付記１２］
前記または各しきい値は、前記構成データ内に提供される値を含む付記１０または１１に記載の移動体通信デバイス。
［付記１３］
前記構成データは、前記測定の結果が前記複数のセルのうちのさらなるセルに関する対応する測定の結果に一致するまたは上回るときに生じるトリガイベントに関する条件を定義する付記１〜１２のいずれか一項に記載の移動体通信デバイス。
［付記１４］
前記構成データは、前記測定の結果が前記複数のセルのうちの１つ（または複数）のさらなるセルに関する対応する測定の結果に一致するまたは下回るときに生じるトリガイベントに関する条件を定義する付記１〜１３のいずれか一項に記載の移動体通信デバイス。
［付記１５］
前記構成データは、トリガすべきイベントに関して、前記測定の結果が前記複数のセルのうちのさらなるセルに関するしきい値または対応する測定値を上回るまたは下回る範囲を定義する少なくとも１つのヒステリシス（および／またはオフセット）を定義する付記１０〜１４のいずれか一項に記載の移動体通信デバイス。
［付記１６］
前記測定の前記結果は、前記複数のセルのうちの前記少なくとも１つのセルの信号条件の尺度を含む付記１〜１５のいずれか一項に記載の移動体通信デバイス。
［付記１７］
前記構成データは、前記少なくとも１つのセルでの信号条件が、前記通信デバイスが現在接続されている前記中継セルでの信号条件よりも良いときに生じるトリガイベントに関する進入条件を定義する付記１６に記載の移動体通信デバイス。
［付記１８］
前記少なくとも１つのトリガイベントは、さらなる中継移動体通信デバイスによって操作される少なくとも１つの中継セルに関する測定報告をトリガするための中継器特有トリガイベントを含む付記１〜１７のいずれか一項に記載の移動体通信デバイス。
［付記１９］
前記構成データは、（ａ）前記少なくとも１つの中継セルでの信号条件が、前記通信デバイスが現在接続されている前記中継セルでの信号条件よりも良いときに生じるトリガイベントに関する進入条件をさらに定義する付記１８に記載の移動体通信デバイス。
［付記２０］
前記構成データは、（ａ）前記通信デバイスが現在接続されている前記中継セルでの信号条件がしきい値を下回るときに生じるトリガイベントに関する進入条件をさらに定義する付記１８または１９に記載の移動体通信デバイス。
［付記２１］
前記構成データは、（ａ）前記少なくとも１つの中継セルでの信号条件が、前記通信デバイスが現在接続されている前記中継セルでの信号条件よりも良く、かつ（ｂ）前記少なくとも１つの中継セルでの信号条件が、非中継隣接セルでの信号条件よりも良いときに生じるトリガイベントに関する進入条件をさらに定義する付記１８〜２０のいずれか一項に記載の移動体通信デバイス。
［付記２２］
前記構成データは、（ａ）前記少なくとも１つの中継セルでの信号条件が、前記通信デバイスが現在接続されている前記中継セルでの信号条件よりも良く、（ｂ）前記少なくとも１つの中継セルでの信号条件が、非中継隣接セルでの信号条件よりも良く、かつ（ｃ）前記現在の中継セルでの信号条件がしきい値を下回るときに生じるトリガイベントに関する進入条件をさらに定義する付記１８〜２１のいずれか一項に記載の移動体通信デバイス。
［付記２３］
前記構成データは、（ａ）前記少なくとも１つの中継セルでの信号条件が第１のしきい値よりも良く、かつ（ｂ）前記通信デバイスが現在接続されている前記中継セルでの信号条件が第２のしきい値を下回るときに生じるトリガイベントに関する進入条件を定義する付記１８〜２２のいずれか一項に記載の移動体通信デバイス。
［付記２４］
前記構成データは、（ｃ）隣接するセルでの信号条件も前記第２のしきい値を下回るときに生じるトリガイベントに関する進入条件を定義する付記２３に記載の移動体通信デバイス。
［付記２５］
前記構成データは、（ａ）前記少なくとも１つの中継セルでの信号条件が、前記通信デバイスが現在接続されている前記中継セルでの信号条件よりも良く、かつ（ｂ）非中継隣接セルでの信号条件がしきい値を下回るときに生じるトリガイベントに関する進入条件をさらに定義する付記１８〜２３のいずれか一項に記載の移動体通信デバイス。
［付記２６］
前記構成データは、（ａ）前記少なくとも１つの中継セルでの信号条件が非中継隣接セルでの信号条件よりも良いときに生じるトリガイベントに関する進入条件を定義する付記１８〜２３のいずれか一項に記載の移動体通信デバイス。
［付記２７］
前記測定の前記結果は、参照信号受信電力「ＲＳＲＰ」；参照信号受信品質「ＲＳＲＱ」；受信信号強度インジケータ「ＲＳＳＩ」；および希望波受信電力「ＲＳＣＰ」の少なくとも１つの尺度を含む付記１〜２６のいずれか一項に記載の移動体通信デバイス。
［付記２８］
前記構成データは、周期的なトリガイベントを定義する付記１〜２７のいずれか一項に記載の移動体通信デバイス。
［付記２９］
前記構成データは、前記少なくとも１つのセルに進入するためおよび前記少なくとも１つのセルから退出するための様々な条件を定義するためにヒステリシス値を含む付記１〜２８のいずれか一項に記載の移動体通信デバイス。
［付記３０］
前記構成データは、タイマ値を含み、（ａ）前記タイマの始動時に前記進入条件が満たされており、かつ（ｂ）前記タイマが作動している間に前記退出条件が満たされないときに生じるトリガイベントを定義する付記２９に記載の移動体通信デバイス。
［付記３１］
前記測定レポートは、前記トリガイベントの識別および前記セルの識別を含む付記１〜３０のいずれか一項に記載の移動体通信デバイス。
［付記３２］
前記測定レポートは、前記セルでの受信された電力レベルに関する情報を含む付記１〜３１のいずれか一項に記載の移動体通信デバイス。
［付記３３］
少なくとも１つのさらなるセルでの測定を構成するための追加の構成データを受信するための手段をさらに備え、前記追加の構成データが、基地局セルに特有の少なくとも１つのトリガイベントを含む付記１〜３２のいずれか一項に記載の移動体通信デバイス。
［付記３４］
前記通信デバイスは、無線リソース制御「ＲＲＣ」シグナリングを使用して、前記構成データを受信するように、および／または前記測定レポートを送信するように動作可能である付記１〜３３のいずれか一項に記載の移動体通信デバイス。
［付記３５］
前記通信デバイスは、非無線リソース制御「ＲＲＣ」シグナリングプロトコルを使用して、前記構成データを受信するように、および／または前記測定レポートを送信するように動作可能である付記１〜３３のいずれか一項に記載の移動体通信デバイス。
［付記３６］
前記通信デバイスは、前記非無線リソース制御「ＲＲＣ」シグナリングプロトコルを使用して送信されたメッセージにおいて、前記構成データをカプセル化するように、および／または前記測定レポートを送信するように動作可能である付記３５に記載の移動体通信デバイス。
［付記３７］
移動電話、個人用携帯情報端末、ラップトップコンピュータ、ウェブブラウザ、および電子ブックリーダの少なくとも１つを備える付記１〜３６のいずれか一項に記載の移動体通信デバイス。
［付記３８］
複数のセルを備える通信ネットワーク用の基地局であって、
中継移動体通信デバイスとの接続を確立するための手段であって、前記中継移動体通信デバイスが前記複数のセルのうちの中継セルを操作する手段と、
さらなる移動体通信デバイスによって、前記複数のセルのうちの前記少なくとも１つのセルでの測定の構成を開始するためのメッセージを前記中継通信デバイスに送信するための手段とを備え、前記構成が、前記複数のセルのうちの少なくとも１つのセルに関する測定報告をトリガするための少なくとも１つのトリガイベントを定義する構成データに基づく
基地局。
［付記３９］
前記中継移動体通信デバイスから測定レポートを受信するための手段をさらに備え、前記測定レポートは、前記さらなる移動体通信デバイスに関係する付記３８に記載の基地局。
［付記４０］
前記受信された測定レポートに基づいて、前記さらなる移動体通信デバイスのハンドオーバを開始するための手段をさらに備える付記３９に記載の基地局。
［付記４１］
前記受信された測定レポートに基づいて、前記通信デバイスに関するハンドオーバターゲットセルを選択するための手段をさらに備える付記４０に記載の基地局。
［付記４２］
Ｅ−ＵＴＲＡＮ基地局を含む付記３８〜４１のいずれか一項に記載の基地局。
［付記４３］
前記基地局と、中継デバイスとして操作するように構成された通信デバイスとの間で「ＵＥＲ−Ｕｎ」インターフェースを提供するための手段をさらに備える付記３８〜４１のいずれか一項に記載の基地局。
［付記４４］
前記構成データを生成するための手段をさらに備え、開始のための前記メッセージは、前記構成データを含む付記３８〜４３のいずれか一項に記載の基地局。
［付記４５］
開始のための前記メッセージは、前記中継移動体通信デバイスでの前記構成データの生成を開始するように構成される付記３８〜４３のいずれか一項に記載の基地局。
［付記４６］
付記１〜３７のいずれか一項に記載の少なくとも１つの移動体通信デバイスと、付記３８〜４５のいずれか一項に記載の基地局とを備えるシステム。
［付記４７］
移動体通信デバイスによって実施される、複数のセルを備える通信ネットワークに測定レポートを提供する方法であって、
前記複数のセルのうちの中継セル内で、中継移動体通信デバイスに接続するステップであって、前記中継セルが中継移動体通信デバイスによって操作されるステップと、
前記中継移動体通信デバイスから、前記複数のセルのうちの少なくとも１つのセルでの測定を構成するための構成データを受信するステップであって、前記構成データが、前記複数のセルのうちの少なくとも１つのセルに関する測定報告をトリガするための少なくとも１つのトリガイベントを定義するステップと、
前記受信された構成データに基づいて、前記少なくとも１つのセルで測定を実施するステップと、
前記測定の結果に基づいて、前記トリガイベントが生じているか否かを判断するステップと、
前記トリガイベントが生じていると判断されたときに、前記中継移動体通信デバイスに測定レポートを送信するステップと
を含む方法。
［付記４８］
中継移動体通信デバイスによって実施される、複数のセルを備える通信ネットワーク内で中継セルを操作し、さらなる移動体通信デバイスから測定レポートを取得するための方法であって、
前記中継セル内で前記さらなる移動体通信デバイスとの接続を確立するステップと、
前記さらなる移動体通信デバイスに構成データを送信するステップであって、前記構成データが、前記複数のセルのうちの少なくとも１つのセルに関する測定報告をトリガするための少なくとも１つのトリガイベントを定義するステップと、
前記トリガイベントの発生に応答して、前記さらなる移動体通信デバイスから測定レポートを受信するステップと
を含む方法。
［付記４９］
複数のセルを備える通信ネットワークのための基地局によって実施される方法であって、
中継移動体通信デバイスとの接続を確立するステップであって、前記中継移動体通信デバイスが前記複数のセルのうちの中継セルを操作するステップと、
さらなる移動体通信デバイスによって、前記複数のセルのうちの前記少なくとも１つのセルでの測定の構成を開始するためのメッセージを前記中継通信デバイスに送信するステップとを含み、前記構成が、前記複数のセルのうちの少なくとも１つのセルに関する測定報告をトリガするための少なくとも１つのトリガイベントを定義する構成データに基づく
方法。
［付記５０］
付記１〜３７のいずれか一項に記載の通信デバイスとして、または付記３８〜４５のいずれか一項に記載の基地局としてプログラマブルコンピュータデバイスが構成されるようにするためのコンピュータ実装可能命令を備えるコンピュータプログラム製品。